(57)【要約】【課題】オートメーション化も可能で作業効率および製造効率を向上する腹膜透析用排液バッグの使用前の構造を提供すること。【解決手段】  柔軟性シートの縁が所定幅で合着して形成された、平面視において略矩形形状の収容袋１０と、収容袋１０の外側から袋内に液密に片端が進入し排液を流入させるチューブ２０と、を有する、腹膜透析に用いる排液バッグ１の使用前構造であって、収容袋１０を二つ折りに畳み、畳んだ辺Ｌ１の両側に位置するそれぞれの辺Ｌ２，Ｌ３の中央より当該畳んだ辺Ｌ１と対向する辺Ｌ４の側に位置する縁のそれぞれ少なくとも一箇所Ｓ２，Ｓ３を融着により留め、チューブ２０を輪にして折り畳まれた収容袋１０の間に差し込んだことを特徴とする排液バッグ構造。【選択図】図２
2015073828.tif 000002
【特許請求の範囲】
【請求項１】
柔軟性シートの縁が所定幅で合着して形成された、平面視において略矩形形状の排液収容袋体と、
排液収容袋体の外側から袋内に液密に片端が進入し排液を排液収容体内へ流入させる通液チューブ体と、
を有する、腹膜透析に用いる排液バッグの使用前構造であって、
排液収容袋体を二つ折りに畳み、畳んだ辺の両側に位置するそれぞれの辺の中央より当該畳んだ辺と対向する辺の側に位置する縁のそれぞれ少なくとも一箇所を融着により留め、
通液チューブ体を輪にして折り畳まれた排液収容袋体の間に差し込んだことを特徴とする排液バッグ構造。
【請求項２】
通液チューブ体の前記片端は、前記対向する辺の端部から当該辺の１／４までのいずれかの位置から進入しており、
更に、当該辺の前記進入位置とは反対側の端部から１／６〜１／３までの縁の少なくとも一箇所を融着により留めたことを特徴とする請求項１に記載の排液バッグ構造。
【請求項３】
通液チューブ体の中途に止液用クリップがスライド可能に挿通され、
通液チューブ体他端および止液用クリップを、折り畳まれた排液収容袋体の間に位置させたことを特徴とする請求項１または２に記載の排液バッグ構造。
【請求項４】
融着を超音波ホチキスによりおこなったものであることを特徴とする請求項１、２または３に記載の排液バッグ構造。
【請求項５】
請求項１〜４のいずれか一つに記載の構造を有する排液バッグと、腹膜透析液バッグとを、外包材に滅菌封入したことを特徴とする腹膜透析液セット。
【発明の詳細な説明】
【技術分野】
【０００１】
本発明は、ＣＡＰＤ（持続携帯式腹膜透析）その他の腹膜透析に用いる排液バッグおよびこれを備えた腹膜透析液セットに関し、特に、腹膜透析液セットの製造効率を高める排液バッグの構造に関する。
【背景技術】
【０００２】
従来、ＣＡＰＤ用の腹膜透析液セットは、透析液が封入された腹膜透析液バッグと、通液チューブが接合された排液バッグと、を滅菌封入した外包材により構成され、患者自身で透析をおこなうものとして流通している。
【０００３】
透析液の容量は、例えば２０００ｍｌのものもあり、かつ、透析後の排液バッグへの排出処理を速やかにおこなうため、この排液バッグに接合される通液チューブは、直径が１０ｍｍ程度の比較的大径のものが用いられ、長さも１００ｃｍ程度と長い。従って、製造過程では、通液チューブを二重、三重の輪にして排液バッグとともに外包材に挿入していた。
【０００４】
しかしながら、製造ライン上では、単に輪にしただけでは、チューブ径が大きいため真っ直ぐになろうとする復元力も大きく、手作業にしても自動化するにしても、型くずれが発生し、製造効率が悪くなるという問題点があった。
【０００５】
これを改良するものとして、二つ折りした排液バッグに輪にした通液チューブを挟み込みテープ留めした形態も考案されている。しかしながら、テープ留めは、チューブ姿勢が必ずしも一定しないなど自動化が事実上困難であるという問題点があった。
【０００６】
一方、人手によりテープ留めは可能であるが、このような医療品の場合は、衛生性確保のため、作業員は手袋を使用する必要がある。この場合、テープが手袋に頻繁に張り付き、作業性を損ね製造効率を著しく悪化させるという問題点が生じる。
【０００７】
更に、腹膜透析液セットは、最終的に高圧蒸気滅菌により加熱されるため、テープの粘着剤の揮発等も懸念され、このような観点からも、また、廃棄物が増えるという観点からも、好ましくない。
【先行技術文献】
【特許文献】
【０００８】
【特許文献１】特開平９−２９９４７６号公報
【発明の概要】
【発明が解決しようとする課題】
【０００９】
本発明は、上記に鑑みてなされたものであって、オートメーション化も可能で作業効率および製造効率を向上する腹膜透析用排液バッグの使用前の構造を提供することを目的とする。
また、使用部材の増加の招来を抑制し、製品品質が維持された腹膜透析用排液バッグおよび腹膜透析液セットを提供することを目的とする。
【課題を解決するための手段】
【００１０】
請求項１に記載の排液バッグ構造は、柔軟性シートの縁が所定幅で合着して形成された、平面視において略矩形形状の排液収容袋体と、排液収容袋体の外側から袋内に液密に片端が進入し排液を排液収容体内へ流入させる通液チューブ体と、を有する、腹膜透析に用いる排液バッグの使用前構造であって、排液収容袋体を二つ折りに畳み、畳んだ辺の両側に位置するそれぞれの辺の中央より当該畳んだ辺と対向する辺の側に位置する縁のそれぞれ少なくとも一箇所を融着により留め、通液チューブ体を輪にして折り畳まれた排液収容袋体の間に差し込んだことを特徴とする。
【００１１】
すなわち、請求項１に係る発明は、型くずれせず、オートメーション化も可能で作業効率および製造効率を向上する腹膜透析用排液バッグの使用前の構造を提供することが可能となる。また、現状の縁のある排液バッグの縁をそのまま利用して融着留めするので、排液バッグ自体の製造に特別な処理を施す必要がなく、また、テープ等を用いずに使用部材の増加、廃棄物の増加の抑制を実現できる。使用部材の増加に由来する新たな品質検査も不要となる。
【００１２】
なお、柔軟性シートは合成樹脂素材、例えば、ポリブチレンテレフタレートシート、ポリイミド系合成樹脂シート、ポリエチレンシート、ポリプロピレンシートなどを用いることができ、融着が可能な素材であれば特に限定されない。シートは複数層により構成されていてもよい。また、排液収容袋体は、矩形形状のシートを２枚重ね合わせて周囲四辺の縁を融着させたものでもよく、矩形形状のシートを二つ折りにして三辺の縁を融着させたものであってもよい。縁の幅は特に限定されないが、通液チューブを挟み込んだ後に融着留めするので、この融着しろとして、例えば、１２ｍｍとする態様を挙げることができる。
【００１３】
畳んだ辺の両側に位置するそれぞれの辺、とは、いわゆる「わ」が形成される辺に直角に接続する左右の辺を意味する。ただし、二つ折りされているので、二重の縁により辺が形成されることとなる。融着により留める、とは、この二枚重ねの縁同士を留めることを意味する。なお、融着強度は、通液チューブ体の復元力では剥がれず、人力では容易に剥がすことのできる程度とする。
【００１４】
辺の中央より、畳んだ辺と対向する辺の側、とは、上述の左右の辺上の、わを形成している辺からみて半分より向こう側の位置を意味する。この位置は、対向する辺の角を基点として、１／５までの位置とすることが好ましい。事実上、通液チューブ体は二重巻きから三重巻きにして、一部が対向する辺からはみ出すため、融着留めする位置が畳んだ辺に近いと保持性が悪くなるためである。
【００１５】
請求項２に記載の排液バッグ構造は、請求項１に記載の排液バッグ構造において、通液チューブ体の前記片端は、前記対向する辺の端部から当該辺の１／４までのいずれかの位置から進入しており、更に、当該辺の前記進入位置とは反対側の端部から１／６〜１／３までの縁の少なくとも一箇所を融着により留めたことを特徴とする。
【００１６】
すなわち、請求項２に係る発明は、通液チューブ体の輪の保持安定性が高まり、型くずれが一層生じにくい構造を提供できる。
【００１７】
請求項３に記載の排液バッグ構造は、請求項１または２に記載の排液バッグにおいて、通液チューブ体の中途に止液用クリップがスライド可能に挿通され、通液チューブ体他端および止液用クリップを、折り畳まれた排液収容袋体の間に位置させたことを特徴とする。
【００１８】
すなわち、請求項３に係る発明は、利用者が実際に使用するまで通液チューブ体が不必要に他所にふれず衛生性が保てるとともに、通液チューブ体の保持安定性が一層高まる。
【００１９】
なお、クリップは複数存在してもよく、他端にはコネクタ等が形成されていてもよい。使用の態様により他端側がＹ字に枝分かれして一方が腹膜透析液バッグに接続している場合もあるが、この場合は、他端とは、枝分かれしたもう一方の端部を意味する。通常この端部にはキャップのかぶせてあるコネクタが形成されている。
【００２０】
請求項４に記載の排液バッグ構造は、請求項１、２または３に記載の排液バッグ構造において、融着を超音波ホチキスによりおこなったものであることを特徴とする。
【００２１】
すなわち、請求項４に係る発明は、作業性を向上させオートメーション化も実現可能となる。
【００２２】
請求項５に記載の腹膜透析液セットは、請求項１〜４のいずれか一つに記載の構造を有する排液バッグと、腹膜透析液バッグとを、外包材に滅菌封入したことを特徴とする。
【００２３】
すなわち、請求項５に係る発明は、搬送時等に内容物が暴れない、製品品質の高い腹膜透析液セットを提供することが可能となる。
【発明の効果】
【００２４】
本発明によれば、オートメーション化も可能で作業効率および製造効率を向上する腹膜透析用排液バッグの使用前の構造を提供することができる。また、使用部材の増加の招来を抑制し、製品品質が維持された腹膜透析用排液バッグおよび腹膜透析液セットを提供することができる。
【図面の簡単な説明】
【００２５】
【図１】本発明の排液バッグの使用前の構造を、チューブの収容前の状態から示した説明図である。
【図２】チューブを収容した排液バッグの部分拡大図である。
【図３】排液バッグと腹膜透析液バッグの外包材３への収容の様子を示した説明図である。
【発明を実施するための形態】
【００２６】
以下、本発明の実施の形態を図面を参照しながら詳細に説明する。
図１は、本発明の排液バッグの使用前の構造を、チューブの収容前の状態から示した説明図である。図２は、チューブを収容した排液バッグの部分拡大図である。図３は、排液バッグと腹膜透析液バッグの外包材３への収容の様子を示した説明図である。なお、図では、表示の便宜上、構成部を簡略ないし省略して描画している。
【００２７】
排液バッグ１は、収容袋１０と、チューブ２０と、を基本構成とする。
【００２８】
収容袋１０は、縦が約３０ｃｍ、横が約２０ｃｍ、厚みが約１ｍｍの二枚の同型の長方形シートを重ね、縁幅１２ｍｍとして周囲を合着して液密な袋として形成されている。なお、四隅は面取りされている。また、シートは内側（排液に当接する側）がポリプロピレン、外側がポリブチレンテレフタレートからなる５層シートである。
【００２９】
チューブ２０は、外径７ｍｍ、内径５ｍｍのＰＰ製チューブであり、片端が収容袋１０に進入し、他端にはコネクタ２１が取り付けられている。また、中途にはチューブ２０上をスライド可能な止液クリップ２２が挿通されている。チューブ長さは約１００ｃｍであり、コネクタ２１近傍でＹ字に分かれ、枝分かれしたチューブ２０は、腹膜透析液バッグ２に接続されている。
【００３０】
チューブ２０の浸入位置は、収容袋１０の短辺の端から約３ｃｍの位置であり、腹膜透析後の排液を収容袋１０内に通液する。なお、チューブ２０と収容袋１０とは液密性が当然に確保して接合されている。
【００３１】
製造ライン上では、この排液バッグ１は次のようにチューブ２０を丸め、折り畳んだ収容袋１０に差し込まれて保持される。
【００３２】
まず、収容袋１０を短辺同士を合わせるようにして二つ折りする。図１に示すように、便宜上、二つ折りした際の折り線、いわゆる「わ」が形成される辺をＬ１、Ｌ１に接続する左右の辺（半分となった長辺）をＬ２およびＬ３、Ｌ１に対向する辺をＬ４とする。
【００３３】
次に、チューブ２０を三重巻きにしてコネクタ２１がＬ１に内側から押し当たるように収容袋１０に差し込む。すなわち、収容袋１０の谷折り部分にコネクタ２１をあてがうように位置させる。
【００３４】
また、このとき、止液クリップ２２をスライドさせ、チューブ２０の収容袋１０への進入位置から離れている方の、半分となった長辺側（図１では、進入部分がＬ２側に位置しているので、この場合はＬ３側）に持ってくる。
【００３５】
最後に、左右の辺Ｌ２およびＬ３のＬ４側の頂点近くの位置にある、二枚重ねにしている縁を超音波ホチキスにてスポット融着する（以降、Ｌ２側の融着スポットをＳ２、Ｌ３側の融着スポットをＳ３と適宜称する）。このとき、チューブ２０は左右の辺Ｌ２およびＬ３から外にはみ出ないようにする。
【００３６】
同時に、対向辺Ｌ４の、チューブ２０の収容袋１０への進入位置に近い端と反対側にある端から１／４あたりの縁も超音波ホチキスにてスポット融着する（以降、この融着スポットをＳ４と適宜称する）。このとき、スポットＳ３とスポットＳ４との間にチューブ２０の束が挟まれるようにする。
【００３７】
なお、融着強さは、当然ながら融着強度はチューブ２０が真っ直ぐになろうとする復元力では剥離せず、人力では簡単に剥離できる強さとする。この設定は、使用する超音波ホチキスに依存するが、ヘッドの押圧力と押圧時間とを調整することによりおこなう。また、融着箇所は、縁幅の中央付近を目安とし、収容袋１０の内側に寄りすぎないようにする。液密性を維持するためである。本実施の形態では１ｍｍ×３ｍｍの線形状のスポット形状としている。
【００３８】
排液バッグ１は以上の様な姿勢を有するように形成されるので、チューブ２０が収容袋１０に保持され、安定性に優れる。一般に、チューブ２０は太く長く、また、折れや曲がりや癖がつくと製品信頼性が低下するため、二つ折りにした収容袋１０内に総てを収容することはできず、一部が辺Ｌ４からはみ出さざるを得ないが、上記の形態とすることにより、以降のラインで排液バッグ１に振動等がかかる場合であっても、チューブ２０が暴れ出すことなく、外包材３への収容作業性も向上する。
【００３９】
なお、スポットＳ２の位置は、Ｌ４側の端からＬ２上の１／４までの位置とする。スポットＳ３の位置も同様に、Ｌ４側の端からＬ３上の１／４までとする。好ましくはいずれの場合も１／５までとする。
【００４０】
スポットＳ４の位置は、Ｌ４上の１／４あたりとしたが、端から１／６〜１／３までが好ましい。ただし、Ｓ３とＳ４は協働してチューブ２０および止液クリップ２２のずれ落ちを抑制するので、チューブ２０の太さ、巻き数（束ねる数）、クリップ２２の大きさを考慮して適宜Ｓ３およびＳ４を位置決めするのが最も好ましい。
【００４１】
また、融着する箇所は各辺に複数設けるようにしてもよい。融着手段も超音波ホチキスでなく、他の熱融着手段、熱溶着手段を適宜用いることもできる。
【００４２】
なお、このように形成された排液バッグ１は、図３に示したように、チューブ２０の枝分かれさせた他端を２液型の腹膜透析液バッグ２に接合させた後、この腹膜透析液バッグ２に挟み込まれ、外包材３に挿入される。外包材３内は、その後ＥＯＧガスにより滅菌され、封入され、腹膜透析セットが完成する。
【００４３】
以上説明したように、排液バッグ１は、収容袋１０に元からある縁を利用して、融着によりチューブ２０の安定的な保持を実現し、作業性および製造効率を向上させる。テープ等新たな部材を用いない接合であるため好適であり、また、接着剤等の溶剤を用いた接合でないため、溶剤の揮発、付着、浸入などがおこらず、製品信頼性も維持される。また、利用者においても、二つ折りの収容袋１０を開けるまでチューブ２０自体やその先のコネクタ２１が遊ばないので、衛生性が保持され良好な取扱性を提供できる。
【産業上の利用可能性】
【００４４】
本発明は、ＣＡＰＤやＡＰＤ、その他の透析に用いることが可能である。
【符号の説明】
【００４５】
１        排液バッグ
２        腹膜透析液バッグ
３        外包材
１０     収容袋
２０     チューブ
２１     コネクタ
２２     止液クリップ
Ｌ１     辺（二つ折りし「わ」のある辺）
Ｌ２，Ｌ３      辺（Ｌ１から立ち上がる左右の辺）
Ｌ４     対向辺（Ｌ１に対向する辺）
Ｓ２，Ｓ３，Ｓ４        融着スポット
【図１】
2015073828.tif 000003
【図２】
2015073828.tif 000004
【図３】
2015073828.tif 000005